(57)【要約】【課題】  配管で接続される弁などの部品を強固な外郭の筐体などに直接固定することなく、配管と配管で接続される弁などの部品が容易に組立てられ、組立てによる水漏れや輸送時の部品の破損などが無い温水器を提供する。【解決手段】  本体外装１内に収容された貯湯タンク２と、該貯湯タンク２と接続された給水用又は給湯用の配管３，４と、該給水用又は給湯用の配管もしくは両方の配管と接続される３個以上の接続口を有する多接続口弁６を備えた温水器において、前記多接続口弁６の複数の接続口にそれぞれ接続される給水用又は給湯用もしくは両方の配管のうち、少なくとも異なる２方向の接続口と接続される配管の一部をフレキシブル管１０，１１により構成した。【選択図】  図１
2007032914.tif 000002
【特許請求の範囲】
【請求項１】
本体外装内に収容された貯湯タンクと、該貯湯タンクと接続された給水用又は給湯用の配管と、該給水用又は給湯用の配管もしくは両方の配管と接続される３個以上の接続口を有する多接続口弁とを備えた温水器において、
前記多接続口弁の複数の接続口にそれぞれ接続される給水用又は給湯用もしくは両方の配管のうち、少なくとも異なる２方向の接続口と接続される配管の一部をフレキシブル管により構成したことを特徴とする温水器。
【請求項２】
本体外装内に収容された貯湯タンクと、該貯湯タンクと接続された給水用又は給湯用の配管と、該給水用又は給湯用の配管もしくは両方の配管と接続される３個以上の接続口を有する多接続口弁とを備えた温水器において、
前記多接続口弁の複数の接続口にそれぞれ接続される給水用又は給湯用もしくは両方の配管のうち、少なくとも１つの接続口に貯湯タンクと強固に接続された給湯配管を接続し、それ以外の複数の接続口と接続される配管の一部をフレキシブル管により構成したことを特徴とする温水器。
【請求項３】
前記多接続口弁が湯水混合弁又は三方弁であることを特徴とする請求項１又は請求項２記載の温水器。
【発明の詳細な説明】
【技術分野】
【０００１】
本発明は、給水用又は給湯用もしくはこれら両方の配管と接続される３個以上の接続口を有する多接続口弁を備えた温水器に関するものである。
【背景技術】
【０００２】
従来の貯湯式給湯機においては、給水用又は給湯用の配管の一部をフレキシブルチューブで形成して、配管と配管もしくは配管と弁などの部品との接続を容易に行えるようにしている（例えば、特許文献１参照）。
【０００３】
【特許文献１】実開昭５９−１６１４４９号公報（第４−５頁、第１図）
【発明の開示】
【発明が解決しようとする課題】
【０００４】
従来の貯湯式給湯機では、配管で接続される弁などの部品が、部品の精度や組立誤差により、精度良く配置されていない事があり、そのため、配管と配管で接続される弁などの部品が無理やり取付られることにより、その接続部分に応力がかかり、パッキンを傷めたり、シール面が変形したりして水漏れが発生し、また、残留応力により弁等の部品が破損していた。そのため、配管で接続される弁などの部品間の配管にフレキシブル性を持たせることで、配管と配管で接続される弁などの接続部分への応力を発生させないことで、組立性の向上と水漏れや部品の破損を防止している。
【０００５】
しかし、フレキシブルな配管を使用するため、配管で接続される弁などの部品が自由自在に動き、製品の輸送時などで他の部品に当たって、配管で接続される弁などの部品が破損する場合があった。そのため、配管で接続される弁などの部品を強固な外郭の筐体などに直接固定する必要があった。
【０００６】
本発明は、上記従来の課題を解消するもので、配管で接続される弁などの部品を本体外装などに直接固定することなく、配管と配管で接続される弁などの部品が容易に組立てられ、組立てによる水漏れや輸送時の部品の破損などがない温水器を提供することを目的としている。
【課題を解決するための手段】
【０００７】
本発明に係る温水器は、本体外装内に収容された貯湯タンクと、該貯湯タンクと接続された給水用又は給湯用の配管と、該給水用又は給湯用の配管もしくは両方の配管と接続される３個以上の接続口を有する多接続口弁とを備えた温水器において、前記多接続口弁の複数の接続口にそれぞれ接続される給水用又は給湯用もしくは両方の配管のうち、少なくとも異なる２方向の接続口と接続される配管の一部をフレキシブル管により構成したものである。
【発明の効果】
【０００８】
本発明による温水器によれば、接続される弁などの部品を配置場所を選ばず、簡単に設置でき、組立て性の向上と配管と配管で接続される弁などの部品の接続部分からの水漏れや配管で接続される弁などの部品に配管を無理やりに取付けることにより残留応力や輸送時の振動などにより弁などの部品または配管が破損することを防止できる。
【発明を実施するための最良の形態】
【０００９】
実施の形態１．
図１は本発明の実施の形態１を示す温水器の配管構成図で、図２はその湯水混合弁の接続部分の詳細図である。
図１に示すように、本体外装１の内部に貯湯タンク２が収容されている。貯湯タンク２は下部に給水配管３が接続され、上部に給湯配管４が接続され、かつ側面下部には発熱体５が取り付けられている。
【００１０】
前記給湯配管４、前記給水配管から分岐した分岐給水配管７、混合湯配管８のそれぞれは湯水混合弁６と接続されている。該湯水混合弁６は３個の接続口を有する多接続口弁であり、弁駆動用モータ９を制御することにより、給湯配管４から供給される湯と分岐給水配管７から供給される水との混合比率を変化させて所望の温度の混合湯をつくり、出湯配管８から出湯する。
【００１１】
また、前記分岐給水配管７と出湯配管８は、前記湯水混合弁６に対して横方向と縦方向から接続されるようになっており、その一部にはそれぞれＳ字状に曲げられた細い配管よりなる出湯フレキシブル管１０と給水フレキシブル管１１が設けられている。
湯水混合弁６の１つの接続口には貯湯タンク２に強固に固定された給湯配管４が縦方向から接続される。これにより湯水混合弁６はがたつきなしに配置位置が固定される。配置位置が固定された湯水混合弁６の残りの２つの接続口には横方向からは出湯フレキシブル管１０が接続され、縦方向からは給水フレキシブル管１１が接続される。湯水混合弁６は縦方向から接続された給水フレキシブル管１１より供給される冷水と給湯配管４より供給される高温水を弁駆動用モータ９で混合比を調整し、設定温度になった温水を横方向から接続された出湯フレキシブル管１０より出湯するようになっている。
【００１２】
次に、動作について説明する。
図１において、給水配管３より注水し、貯湯タンク２内を水で満たす、発熱体５に通電し、水を加熱して湯を沸かし、沸いた湯は給水配管３より給水し、その圧力で押し出され、給湯配管４より湯水混合弁６に送られ、給水配管３より途中分岐した分岐給水配管７の給水フレキシブル管１１より冷水が供給され、湯水混合弁６で設定された湯温に混合され、出湯フレキシブル管１０を通り、出湯配管８より給湯され、使用される。
【００１３】
出湯フレキシブル管１０と給水フレキシブル管１１は縦方向と横方向の異なる２方向から接続されることにより、また細い配管をＳ字状に曲げておくことにより、自在に曲げたり伸び縮みが行え、接続の際に応力をかけぜずに接続ができ、接続後も外的応力や熱応力が加わっても外的応力や熱応力を緩和することができる。
【００１４】
このように、実施の形態１に示す構成によれば、湯水混合弁６を本体外装１等に固定するための専用の固定金具を必要とせずに給湯配管４に固定することで、簡単に設置位置を固定でき、組立て性の向上が図れるとともに各配管と湯水混合弁６の接続部分からの水漏れ等を防止できる。また、横方向の出湯フレキシブル管１０と縦方向の給水フレキシブル管１１を有することにより、湯水混合弁６に各配管を無理やりに取付けることによる残留応力や輸送時の振動などにより湯水混合弁６や各接続配管の破損も防止できる。
【００１５】
なお、上記実施の形態１では、Ｓ字状に曲げられた細い配管で構成された出湯フレキシブル管１０と給水フレキシブル管１１の例で説明したが、フレキシブルなジャバラ状管やゴムホースなどで構成しても、同様の効果を得ることができる。また、多接続口弁として湯水混合弁６を例に説明したが、三方弁であっても同様の効果を得ることができる。
【図面の簡単な説明】
【００１６】
【図１】本発明の実施の形態１を示す温水器の配管構成図である。
【図２】本発明の実施の形態１を示す湯水混合弁の接続部分の詳細図である。
【符号の説明】
【００１７】
１  本体外装
２  貯湯タンク
３  給水配管
４  給湯配管
６  湯水混合弁（多接続口弁）
７  分岐給水配管
８  出湯配管
１０出湯フレキシブル管
１１給水フレキシブル管
【図１】
2007032914.tif 000003
【図２】
2007032914.tif 000004